(57)【要約】【課題】操作性がよく、かつ折畳んだとき安定した立位状態が得られ、折畳み状態のまま任意の場所に安定して移動させることができる折畳み式テーブルを実現する【解決手段】天板１を水平の状態にして、固定脚２、３に対して開閉脚４、５を離れた位置に開いて、各開閉脚３、４上に天板１を載せることで展開状態のテーブルとし、固定脚固定脚２、３に対して開閉脚４、５を接近する位置に閉じると共に、天板１をほぼ垂直になる用に９０度回動させることにより折畳み時状態として、この折畳み状態において各開閉脚４、５の張出し部４ａ、５ａにそれぞれ取付けられたキャスタ７が天板１の外側に位置するようにした。【選択図】        図１
2010029297.tif 000002
【特許請求の範囲】
【請求項１】
所定の間隔で連結材により平行に結合された２本の固定脚と、水平部と垂直部を有し該垂直部を前記固定脚と平行にして前記固定脚にそれぞれ回動可能に取付けられた２つのアームと前記各固定脚と平行になるように前記アームの水平部に先端に取付けられた開閉脚と、前記各固定脚の下端に前記開閉脚と反対側に向かって斜め外方向に張出すように形成された張出し部と、前記各開閉脚の下端に前記固定脚と反対側に向かって斜め外方向に張出すように形成された張出し部と、前記各固定脚の張出し部及び前記各開閉脚の張出し部にそれぞれ取付けられたキャスタと、前記一方の固定脚に取付けられたアームの水平部にその軸方向にスライド可能に取付けられかつ他方の固定脚に取付けられたアームの水平部に回動可能に取付けられることで両アーム水平部をＸ状に組み付けるスライド部材と、前記各固定脚の上端に一辺近傍の部分を回動可能に取付けた天板を備え、
前記天板を水平になるように回動させ、前記各固定脚に対して前記開閉脚が離れるように開いて、各開閉脚上に天板を載せることで展開状態のテーブルとし、
前記固定脚に対して前記開閉脚が請求項金するように閉じると共に、前記天板をほぼ垂直に回動させることにより折畳み時状態として、この折畳み状態において各開閉脚の張出し部にそれぞれ取付けられたキャスタが天板の外側に位置するようにしたことを特徴とする折畳み式テーブル。
【請求項２】
請求項１記載の折畳み式テーブルにおいて、
前記連結材とほぼ平行になるように両端部を一対の支持部を介して前記連結材に固定されたガイド軸と、このガイド軸にその軸方向に移動可能に設けられたスライド部材と、一端を前記ガイド軸に設けられたスライド部材に回動可能に取付けかつ他端を前記アームの一方に回動可能に取付けたロッドと、前記ガイド軸に設けられたスライド部材を前記一対の支持部うちの一方の支持部側に付勢する付勢手段から成り、
前記付勢手段により前記ロッドが前記アームを押すことで前記開閉脚が前記固定脚から離れて開くように機能する開脚機構を備えたことを特徴とする折畳み式テーブル。
【発明の詳細な説明】
【技術分野】
【０００１】
本発明は、多用途に使用可能な折畳み式テーブルに関するもので、特にコンパクトに折畳むことが可能な折畳み式テーブルに関する。
【背景技術】
【０００２】
従来の折畳み式テーブルとして、例えば、特許文献１に示されるものがある。
この特許文献１に示された従来の折畳み式テーブルは、連結杆で連結されている左右一対の後脚の上部に曲折形成された後向延出部間に天板を取付けた天板フレームの後端部を挟み込む形で、両後向延出部に天板の後端部を回転自在に取付け、また前脚を有する側枠の下向き曲折部をそれぞれの後脚の前部に回動可能に取付けて、各後脚及び前脚の下端にキャスタを設けた構成を有している。
【０００３】
この折畳み式テーブルは、前脚を有する両側枠をそれぞれ前方を向く使用位置に開き、天板を水平な状態に固定することで、テーブルとして使用可能な状態とし、そして天板を水平な状態からほぼ２７０度回転させることで、天板を後脚の後部側にほぼ垂直に立てると共に、その天板の下端面を直接または天板フレームを介して接床（接地）させ、更に両側枠を互いに内方を向く折畳み位置に回動させることで、全体を立てた状態で折畳むことが可能なようにしている。
【特許文献１】特開２００６−４３０７５
【発明の開示】
【発明が解決しようとする課題】
【０００４】
しかしながら、上述した従来の技術においては、テーブル全体をコンパクトに折畳むことができるものの、テーブルとして使用可能な状態にする展開する際、及び折畳む際に天板をほぼ２７０度回転させる必要があるため、操作性が悪く、かつ天板を回転させる際にバランスが崩れて転倒しやすいという問題がある。
また、折畳み時にほぼ垂直に立てた天板の下端面を直接または天板フレームを介して接床（接地）させることで、折畳んだ後のテーブルの転倒を防止するようにしているため、折畳んだ状態でキャスタにより移動させることができないという問題があり、更に天板の下端面を接地させることから、例えば厨房用の作業テーブルとして使用する場合、天板の下端面の清潔さを保てなくなるという問題もある。
【０００５】
本発明は、このような問題を解決することを課題とする。
【課題を解決するための手段】
【０００６】
そのため、本発明の折畳み式テーブルは、所定の間隔で連結材により平行に結合された２本の固定脚と、水平部と垂直部を有し該垂直部を前記固定脚と平行にして前記固定脚にそれぞれ回動可能に取付けられた２つのアームと前記各固定脚と平行になるように前記アームの水平部に先端に取付けられた開閉脚と、前記各固定脚の下端に前記開閉脚と反対側に向かって斜め外方向に張出すように形成された張出し部と、前記各開閉脚の下端に前記固定脚と反対側に向かって斜め外方向に張出すように形成された張出し部と、前記各固定脚の張出し部及び前記各開閉脚の張出し部にそれぞれ取付けられたキャスタと、前記一方の固定脚に取付けられたアームの水平部にその軸方向にスライド可能に取付けられかつ他方の固定脚に取付けられたアームの水平部に回動可能に取付けられることで両アーム水平部をＸ状に組み付けるスライド部材と、前記各固定脚の上端に一辺近傍の部分を回動可能に取付けた天板を備え、前記天板を水平になるように回動させ、前記各固定脚に対して前記開閉脚が離れるように開いて、各開閉脚上に天板を載せることで展開状態のテーブルとし、前記固定脚に対して前記開閉脚が請求項金するように閉じると共に、前記天板をほぼ垂直に回動させることにより折畳み時状態として、この折畳み状態において各開閉脚の張出し部にそれぞれ取付けられたキャスタが天板の外側に位置するようにしたことを特徴とする。
【発明の効果】
【０００７】
このようにした本発明は、テーブルとして使用可能な状態にする展開する際、及び折畳む際に天板をほぼ９０度回転させるだけで済むため、操作性が良く、かつ天板を回転させる際にバランスが崩れて転倒することもないという効果が得られる。
また、折畳んだとき、天板の重心位置が開閉脚の張出し部に取付けたキャスタの内側の位置になるので、安定した立位状態が得られ、そのため折畳み状態のまま任意の場所に安定して移動させることができ、更に折畳んだとき、天板の下端面が接地することがないので、例えば厨房用の作業テーブルとして使用する場合、天板の下端面の清潔さ保てるという効果も得られ、安定した立位状態のまま保管することができる。
【０００８】
更に、折畳む際、一方の開閉脚を操作すると、スライド部材により他方の開閉脚も連動するため、片手の操作で折畳むことができ、この点でも操作性に優れるという効果が得られる。
【発明を実施するための最良の形態】
【０００９】
以下、図面を参照して本発明による折畳み式テーブルの実施例を説明する。
【実施例】
【００１０】
図１は実施例を示す展開状態の斜視図、図２は折畳み状態の斜視図、図３は天板を破線で示した展開状態の斜視図、図４は要部拡大平面図である。
図１〜図４において１は天板（甲板）、２と３は一対の固定脚、４と５は一対の開閉脚である。
天板１は長方形に形成され、少なくとも下方に垂下するように曲折形成された所定の幅の周面１ａを有している。
【００１１】
固定脚２と３は例えば上下の部分が所定の長さの連結材６ａ、６ｂにより結合されている。
各連結材６ａ、６ｂは天板１の長手方向の長さよりやや短い長さを有し、この連結材６ａ、６ｂにより一対の固定脚２と３は互いに平行に固定されていて、連結材６ａ、６ｂと共に枠体を形成している。
【００１２】
また、固定脚２と３の下端には、それぞれ後述するように取付けられる開閉脚４、５側と反対側に向かって斜め外方向に張出すように曲折された張出し部２ａ、３ａが形成されていて、各張出し部２ａ、３aの先端下側にロック機構付きのキャスタ７が取付けられている。
開閉脚４と５は固定脚２、３と同様の長さに形成されている。
【００１３】
この開閉脚４と５は上下の端部がコの字型のアーム８と９の上下の水平部８ａ、８ｂと９ａ、９ｂの先端にそれぞれ固定されていて、それぞれの開閉脚４と５の下端には、固定脚２、３側と反対側に向かって斜め外方向に張出すように曲折された張出し部４ａ、５ａが形成され、この張出し部４ａ、５ａにもそれぞれの先端下側にロック機構付きのキャスタ７が取付けられている。
【００１４】
そして、前記２つのアーム８、９のうち、一方のアーム８は垂直部８ｃの複数個所（図では２個所）がアーム支持具１０を介して固定脚３に回動可能に取付けられて支持されており、他方のアーム９は垂直部９ｃの複数個所（図では２個所）がアーム支持具１０介して固定脚２に回動可能に取付けられて支持されている。
また、アーム８、９におけるそれぞれの上下の水平部８ａ、８ｂと９ａ、９ｂは天板１の長手方向の長さと同等かそれよりやや短い長さに設定されており、一方のアーム８の水平部８ａ、８ｂの外周には短筒状のスライド部材１１ａ、１１ｂが軸方向に移動可能に嵌装することで取付けられていて、一方のスライド部材１１ａをアーム９の上部側の水平部９ａにおける長手方向のほぼ中央部に回転自在に取付け、他方のスライド部材１１ｂをアーム９の下部側の水平部９ｂにおける長手方向のほぼ中央部に回転自在に取付けることで、アーム８、９の上部側の水平部８ａと９ａ、下部側の水平部８ｂと９ｂがそれぞれＸ状に組付けられ、これによりそれぞれの開閉脚４、５はアーム８、９を回動させることで、固定脚２，３に対して接近する位置に閉じたり、離れる方向に開いたりすることができるようになっている。
【００１５】
１２は上部側の連結材６ａとほぼ平行になるように両端部を一対の支持部１３ａ、１３ｂを介して連結材６ａに固定されたガイド軸、１４はこのガイド軸１２の外周に軸方向に移動可能に嵌装することで取付けられた短筒状のスライド部材である。
１５はロッドで、このロッド１５の一端はスライド部材１４に回動可能に取付けられ、他端はアーム８（またはアーム９）の水平部８ａ（または水平部９ａ）に回動可能に取付けられている。
【００１６】
１６はガイド軸１２の外周に嵌装されて固定脚３側の支持部１３ｂとスライド部材１４の間に配置されたコイルスプリング（付勢手段）である。
これらガイド軸１２、支持部１３ａと１３ｂ、スライド部材１４、ロッド１５、及びコイルスプリング１６は本実施例における開脚機構を構成し、コイルスプリング１６によりスライド部材１４は図４に示したように固定脚３側の支持部１３ａに押付けられるように付勢され、これによってロッド１５は開閉脚４が固定脚２から離れて開くようにアーム８の水平部８ａを押し、更にこれと連動して開閉脚５が固定脚３から離れて開くようになっている。
【００１７】
この状態で開閉脚４、５が固定脚２、３から等しい距離だけ離れ、ロッド１５は、アーム８の水平部８ａに回動可能に取付けた端部がスライド部材１４に回動可能に取付けた端部より開閉脚４側に位置するように傾斜するものとなっていて、後述するように水平に支持される天板１の外側に開閉脚４、５が飛び出さないようになっている。
１７は両固定脚２の上端部に基部を取付けた天板支持具で、各天板支持具１７の先端に天板１の裏面の一方の長辺近傍の部分が回転自在に取付けられており、これにより天板１は水平、垂直の状態に回動できるようになっている。
【００１８】
また、それぞれの天板支持具１７は、開閉脚４，５を閉じて天板１を垂直の状態に回動させたとき、天板１を開閉脚４、５とアーム８、９の外側に保持できる長さを有しており、またその状態で開閉脚４、５の張出し部４ａ、５ａに取付けてあるキャスタ７が天板１の外側になるように張出し部４ａ、５ａの長さが定められている。
尚、本実施例において天板１は長方形としたが、正方形であってもよく、また長方形や正方形の四隅をカットあるいは所定の丸みを持つようにした形状、更に８角形や円形、楕円形等とすることもできる。
【００１９】
また、上述した１〜１６の各構成部品は基本的にはすべてステンレス製とするが、少なくとも天板１をステンレス板で形成すると共にし、各固定脚２、３及び各開閉脚４、５をステンレス製のパイプで形成してあればよく、更に他の金属、あるいは一部プラスチックや木材等との組合せで各構成部品を形成することも可能である。
上述した構成の作用について説明する。
【００２０】
図５〜図７は実施例の折畳み工程を示す斜視図である。
いま、図１に示したように折畳み式テーブルが展開状態のとき、アーム８、９は水平部８ａと９ａ、８ｂと９ｂがそれぞれＸ状を成し、開閉脚４、５が固定脚２、３に対して離れた位置に開いていて、天板１は他方の長辺近傍の部分が開閉脚４、５上に載り、水平状態に保持されている。
【００２１】
このとき、開脚機構のガイド軸１２の外周に嵌装されているスライド部材１４はコイルスプリング１６により支持部１３ａに押付けられるように付勢されていて、これによりロッド１５は開閉脚４、５が固定脚２から離れて開いた状態を保つようにアーム８の水平部８ａを押している。
この状態で、固定脚２、３の張出し部２ａ、３ａ及び開閉脚４、５の張出し部４ａ、５ａに取付けたキャスタ７をそれぞれのロック機構でロックして回転不可の状態にすることで、本折畳み式テーブルを例えば厨房用の作業テーブルとして使用することができる。
【００２２】
この状態から折畳み式テーブルを折畳む場合、開閉脚４、５の張出し部４ａ、５ａに取付けたキャスタ７のロックを解除して回転可能にし、開閉脚４または５の上部を手で掴んで固定脚２または３側に押し戻して行くと、アーム８、９がそれぞれの垂直部８ｃ、９ｃを中心に回動し、その際アーム８の水平部８ａ、８ｂの外周に嵌装されているスライド部材１１ａ、１１ｂが水平方向に回転しつつ図５に矢印Ａで示したように垂直部８ｃ、９ｃの方向にそれぞれスライドすると同時に、ロッド１５がスライド部材１４をコイルスプリング１６に抗して支持部１３ｂ側に押し戻すため、図６に示したようにアーム８、９の水平部８ａと９ａ、８ｂと９ｂがそれぞれ薄く畳まれる。
【００２３】
これにより開閉脚４、５が固定脚２、３に接近して閉じると、天板１は自重により図７に示したように天板支持具１７を中心に下方にほぼ９０度回動して図２に示したようにコンパクトに折畳んだ状態となり、この状態で開閉脚４、５は天板１により抑えられて開かないように保持される。
このようにして折畳んだテーブルは天板１の重心位置が開閉脚４、５の張出し部４ａ、５ａに取付けたキャスタ７の内側の位置になるので、つまり開閉脚４、５の張出し部４ａ、５ａに取付けたキャスタ７が天板の外側に位置するので、安定した立位状態が得られ、そのため固定脚２、３の張出し部２ａ、３ａに取付けたキャスタ７のロックを解除して回転可能にすることで、折畳み状態のまま任意の場所に安定して移動させることができ、更に保管する場合は、保管位置に移動後、各キャスタ７をロック機構によりロックして回転不可の状態にすることで安定した立位状態のまま保管することができる。
【００２４】
折畳んだ状態から、図１に示したように再び展開状態にする場合は、折畳み状態のまま使用場所まで移動し、天板支持具１７を中心に上方にほぼ９０度回動させて水平の状態になるように持ち上げると、この動作に伴って開脚機構のスライド部材１４がコイルスプリング１６のバネ力により付勢され支持部１３ａに押付けられるまで移動するため、ロッド１５がアーム８の水平部８ａを押す。
【００２５】
これによりがアーム８、９、及びスライド部材１１ａ、１１ｂが前記の折畳み時と逆の方向に動作して、アーム８、９の水平部８ａと９ａ、８ｂと９ｂがそれぞれＸ状になり、同時に開閉脚４、５が固定脚２、３に対して離れた位置に開いて展開状態になる。
以上説明した実施例によると、テーブルとして使用可能な状態にする展開する際、及び折畳む際に天板１をほぼ９０度回転させるだけで済むため、操作性が良く、かつ天板１を回転させる際にバランスが崩れて転倒することもないという効果が得られる。
【００２６】
また、折畳んだとき、天板１の重心位置が開閉脚４、５の張出し部４ａ、５ａに取付けたキャスタ７の内側の位置になるので、安定した立位状態が得られ、そのため折畳み状態のまま任意の場所に安定して移動させることができ、更に折畳んだとき、天板１の下端面が接地することがないので、例えば厨房用の作業テーブルとして使用する場合、天板１の下端面の清潔さ保てるという効果も得られる、安定した立位状態のまま保管することができる。
【００２７】
また、テーブルとして使用可能な状態にする展開する際、開脚機構が開閉脚４、５を自動的に開き、折畳むときは開閉脚４または５を固定脚２または３側に押し戻せばよいので、この点でも操作性に優れるという効果が得られる。
更に、天板１をステンレス板で形成すると共にし、各固定脚２、３や、各開閉脚４、５、及びアーム８、９等をステンレス製のパイプで形成することで、充分な強度が得られ、汚れや水、薬品の差込みもないので、常に清潔な状態を維持できるという効果も得られる。
尚、上述した実施例において開閉脚４，５の上端に、ローラを取付けて天板１の下面に接触させることで、開閉操作をより向上させることができる。
【００２８】
また、上述した実施例では、上部側の連結材６ａに開脚機構を設けるものとしたが、下部側の連結材６ｂに開脚機構を設けるものとしてもよく、無論上部側と下部の両方に設けてもよい。
【図面の簡単な説明】
【００２９】
【図１】実施例を示す展開状態の斜視図
【図２】実施例を示す折畳み状態の斜視図
【図３】実施例を示す天板を破線で示した展開状態の斜視図
【図４】実施例の要部拡大平面図
【図５】実施例の折畳み工程を示す斜視図
【図６】実施例の折畳み工程を示す斜視図
【図７】実施例の折畳み工程を示す斜視図
【符号の説明】
【００３０】
１    天板
１ａ  周面
２、３    固定脚
２ａ、３ａ  張出し部
４、５    開閉脚
４ａ、５ａ  張出し部
６ａ、６ｂ    連結材
７    キャスタ
８、９    アーム
８ａ、８ｂ  水平部
９ａ、９ａ  水平部
８ｃ、９ｃ  垂直部
１０    アーム支持具
１１ａ、１１ｂ    スライド部材
１２  ガイド軸
１３ａ、１３ｂ  支持部
１４  スライド部材
１５  ロッド
１６  コイルスプリング
１７    天板支持具
【図１】
2010029297.tif 000003
【図２】
2010029297.tif 000004
【図３】
2010029297.tif 000005
【図４】
2010029297.tif 000006
【図５】
2010029297.tif 000007
【図６】
2010029297.tif 000008
【図７】
2010029297.tif 000009